(57)【要約】【課題】処理量の削減及び等化性能の向上。【解決手段】Ｌ番目のサブキャリアがパイロットサブキャリアであると判定された場合に、第１選択手段３０２がＭ個のＬ番目のパイロットサブキャリアのうち信号品質の高い方から２個のパイロットサブキャリアを選択する。第２選択手段３０１がＭ個のＬ−１番目のデータサブキャリアから信号品質の最も高い１個のデータサブキャリアを選択する。第３選択手段３０３がＭ個のＬ＋１番目のデータサブキャリアから信号品質の最も高い１個のデータサブキャリアを選択する。乗算手段が選択された各パイロットサブキャリアと選択された各データサブキャリアにウェイトを乗算する。合成手段が乗算された各パイロットサブキャリア及び各データサブキャリアを合成する。算出手段が合成された合成信号と既知信号との誤差が最も小さくなるウェイトを算出する。【選択図】図３
2006180365.tif 000002
【特許請求の範囲】
【請求項１】
パイロットサブキャリアを含むＫ（Ｋは２以上の整数）個のサブキャリアを含むＯＦＤＭ信号を復調するＯＦＤＭ復調装置において、
前記ＯＦＤＭ信号を受け取るＭ（Ｍは２以上の整数）個のアンテナと、
前記Ｍ個のアンテナと１対１に対応して接続しているＭ個のフーリエ変換部であって、各フーリエ変換部は対応する前記アンテナが受け取った受信信号からＫ個のサブキャリアを抽出するＭ個のフーリエ変換部と、
Ｌ（Ｌは１≦Ｌ≦Ｋを満たす整数）番目のサブキャリアがパイロットサブキャリアであるかデータサブキャリアであるかを判定する判定手段と、
前記判定手段によりＬ番目のサブキャリアがデータサブキャリアであると判定された場合に、Ｌ番目のデータサブキャリアに等化処理を行うためのウェイトとして、Ｌ番目のデータサブキャリアに最も近い位置に配置されているパイロットサブキャリアに等化処理を行うためのウェイトと同じ値を設定する設定手段と、
前記判定手段により、Ｌ番目のサブキャリアがパイロットサブキャリアであると判定された場合に、
前記Ｍ個のフーリエ変換部から出力されたサブキャリアに含まれるＭ個のＬ番目のパイロットサブキャリアから、信号品質の高い方から少なくとも２個のパイロットサブキャリアを選択するパイロットサブキャリア選択手段と、
前記Ｍ個のフーリエ変換部から出力されたサブキャリアに含まれるＭ個のＬ−１番目のデータサブキャリアから、信号品質の最も高い１個のデータサブキャリアを選択する第１のサブキャリア選択手段と、
前記Ｍ個のフーリエ変換部から出力されたサブキャリアに含まれるＭ個のＬ＋１番目のデータサブキャリアから、信号品質の最も高い１個のデータサブキャリアを選択する第２のサブキャリア選択手段と、
前記パイロットサブキャリア選択手段により選択された各パイロットサブキャリアと、前記第１及び第２のサブキャリア選択手段により選択された各データサブキャリアに、予め設定された或るウェイトを乗算する乗算手段と、
前記乗算された各パイロットサブキャリア及び各データサブキャリアを合成する合成手段と、
前記合成手段により合成された合成信号と或る既知信号との誤差が最も小さくなるように前記ウェイトを算出する算出手段と、を具備することを特徴とするＯＦＤＭ復調装置。
【請求項２】
パイロットサブキャリアを含むＫ（Ｋは２以上の整数）個のサブキャリアを含むＯＦＤＭ信号を復調するＯＦＤＭ復調装置において、
前記ＯＦＤＭ信号を受け取るＭ（Ｍは２以上の整数）個のアンテナと、
前記Ｍ個のアンテナと１対１に対応して接続しているＭ個のフーリエ変換部であって、各フーリエ変換部は対応する前記アンテナが受け取った受信信号からＫ個のサブキャリアを抽出するＭ個のフーリエ変換部と、
Ｌ（Ｌは１≦Ｌ≦Ｋを満たす整数）番目のサブキャリアがパイロットサブキャリアであるかデータサブキャリアであるかを判定する判定手段と、
前記判定手段によりＬ番目のサブキャリアがデータサブキャリアであると判定された場合に、Ｌ番目のデータサブキャリアに等化処理を行うためのウェイトとして、Ｌ番目のデータサブキャリアに最も近い位置に配置されているパイロットサブキャリアに等化処理を行うためのウェイトと同じ値を設定する設定手段と、
前記判定手段により、Ｌ番目のサブキャリアがパイロットサブキャリアであると判定された場合に、
前記Ｍ個のフーリエ変換部から出力されたサブキャリアに含まれるＭ個のＬ番目のパイロットサブキャリアから、信号品質の高い方から少なくとも２個のパイロットサブキャリアを選択するパイロットサブキャリア選択手段と、
前記Ｍ個のフーリエ変換部から出力されたサブキャリアに含まれるＭ個のＬ−１番目のデータサブキャリアから、信号レベルの最も高い１個のデータサブキャリアを選択する第１のサブキャリア選択手段と、
前記Ｍ個のフーリエ変換部から出力されたサブキャリアに含まれるＭ個のＬ＋１番目のデータサブキャリアから、信号レベルの最も高い１個のデータサブキャリアを選択する第２のサブキャリア選択手段と、
前記パイロットサブキャリア選択手段により選択された各パイロットサブキャリアと、前記第１及び第２のサブキャリア選択手段により選択された各データサブキャリアに、予め設定された或るウェイトを乗算する乗算手段と、
前記乗算された各パイロットサブキャリア及び各データサブキャリアを合成する合成手段と、
前記合成手段により合成された合成信号と或る既知信号との誤差が最も小さくなるように前記ウェイトを算出する算出手段と、を具備することを特徴とするＯＦＤＭ復調装置。
【請求項３】
前記パイロットサブキャリア選択手段は、前記Ｍ個のフーリエ変換部から出力されたサブキャリアに含まれるＭ個のＬ番目のパイロットサブキャリアのすべてを選択することを特徴とする請求項１又は請求項２に記載のＯＦＤＭ復調装置。
【請求項４】
パイロットサブキャリアを含むＫ（Ｋは２以上の整数）個のサブキャリアを含むＯＦＤＭ信号を復調するＯＦＤＭ復調装置において、
前記ＯＦＤＭ信号を受け取るＭ（Ｍは２以上の整数）個のアンテナと、
前記Ｍ個のアンテナと１対１に対応して接続しているＭ個のフーリエ変換部であって、各フーリエ変換部は対応する前記アンテナが受け取った受信信号からＫ個のサブキャリアを抽出するＭ個のフーリエ変換部と、
Ｌ（Ｌは１≦Ｌ≦Ｋを満たす整数）番目のサブキャリアがパイロットサブキャリアであるかデータサブキャリアであるかを判定する判定手段と、
前記判定手段によりＬ番目のサブキャリアがデータサブキャリアであると判定された場合に、Ｌ番目のサブキャリアに等化処理を行うためのウェイトとして、Ｌ番目のサブキャリアに最も近い位置に配置されているパイロットサブキャリアに等化処理を行うためのウェイトと同じ値を設定する設定手段と、
前記判定手段により、Ｌ番目のサブキャリアがパイロットサブキャリアであると判定された場合に、
Ｌ番目のパイロットサブキャリアにマッピングする既知信号を生成する信号生成手段と、
前記Ｍ個のフーリエ変換部から出力されたサブキャリアに含まれるＭ個のＬ番目のパイロットサブキャリアから、前記既知信号との誤差が小さい方から少なくとも２個のパイロットサブキャリアを選択するパイロットサブキャリア選択手段と、
前記Ｍ個のフーリエ変換部から出力されたサブキャリアに含まれるＭ個のＬ−１番目のデータサブキャリアから、信号品質の最も高い１個のデータサブキャリアを選択する第１のサブキャリア選択手段と、
前記Ｍ個のフーリエ変換部から出力されたサブキャリアに含まれるＭ個のＬ＋１番目のデータサブキャリアから、信号品質の最も高い１個のデータサブキャリアを選択する第２のサブキャリア選択手段と、
前記パイロットサブキャリア選択手段により選択された各パイロットサブキャリアと、前記第１及び第２のサブキャリア選択手段により選択された各データサブキャリアに、予め設定された或るウェイトを乗算する乗算手段と、
前記乗算された各パイロットサブキャリア及び各データサブキャリアを合成する合成手段と、
前記合成手段により合成された合成信号と或る既知信号との誤差が最も小さくなるように前記ウェイトを算出する算出手段と、を具備することを特徴とするＯＦＤＭ復調装置。
【請求項５】
パイロットサブキャリアを含むＫ（Ｋは２以上の整数）個のサブキャリアを含むＯＦＤＭ信号を復調するＯＦＤＭ復調装置において、
前記ＯＦＤＭ信号を受け取るＭ（Ｍは２以上の整数）個のアンテナと、
前記Ｍ個のアンテナと１対１に対応して接続しているＭ個のフーリエ変換部であって、各フーリエ変換部は対応する前記アンテナが受け取った受信信号からＫ個のサブキャリアを抽出するＭ個のフーリエ変換部と、
Ｌ（Ｌは１≦Ｌ≦Ｋを満たす整数）番目のサブキャリアがパイロットサブキャリアであるかデータサブキャリアであるかを判定する判定手段と、
前記判定手段によりＬ番目のサブキャリアがデータサブキャリアであると判定された場合に、Ｌ番目のデータサブキャリアに等化処理を行うためのウェイトとして、Ｌ番目のデータサブキャリアに最も近い位置に配置されているパイロットサブキャリアに等化処理を行うためのウェイトと同じ値を設定する設定手段と、
前記判定手段により、Ｌ番目のサブキャリアがパイロットサブキャリアであると判定された場合に、
Ｌ番目のパイロットサブキャリアにマッピングする既知信号を生成する信号生成手段と、
前記Ｍ個のフーリエ変換部から出力されたサブキャリアに含まれるＭ個のＬ番目のパイロットサブキャリアから、前記既知信号との誤差が小さい方から少なくとも２個のパイロットサブキャリアを選択するパイロットサブキャリア選択手段と、
前記Ｍ個のフーリエ変換部から出力されたサブキャリアに含まれるＭ個のＬ番目のパイロットサブキャリアから、前記既知信号との誤差が最も小さいパイロットサブキャリアがＭ個のパイロットサブキャリアのうちのどれであるかを指定する指定情報を生成する情報生成手段と、
前記Ｍ個のフーリエ変換部から出力されたサブキャリアに含まれるＭ個のＬ−１番目のデータサブキャリアから、前記指定情報に基づいて前記誤差が最も小さいパイロットサブキャリアに対応する１個のデータサブキャリアを選択する第１のサブキャリア選択手段と、
前記Ｍ個のフーリエ変換部から出力されたサブキャリアに含まれるＭ個のＬ＋１番目のデータサブキャリアから、前記指定情報に基づいて前記誤差が最も小さいパイロットサブキャリアに対応する１個のデータサブキャリアを選択する第２のサブキャリア選択手段と、
前記パイロットサブキャリア選択手段により選択された各パイロットサブキャリアと、前記第１及び第２のサブキャリア選択手段により選択された各データサブキャリアに、予め設定された或るウェイトを乗算する乗算手段と、
前記乗算された各パイロットサブキャリア及び各データサブキャリアを合成する合成手段と、
前記合成手段により合成された合成信号と或る既知信号との誤差が最も小さくなるように前記ウェイトを算出する算出手段と、を具備することを特徴とするＯＦＤＭ復調装置。
【請求項６】
Ｌ番目のパイロットサブキャリアにマッピングする既知信号を生成する信号生成手段をさらに具備し、
前記算出手段は、前記合成手段により合成された合成信号と前記既知信号との誤差が最も小さくなるように前記ウェイトを算出することを特徴とする請求項４又は請求項５に記載のＯＦＤＭ復調装置。
【請求項７】
パイロットサブキャリアを含むＫ（Ｋは２以上の整数）個のサブキャリアを含むＯＦＤＭ信号を復調するＯＦＤＭ復調装置において、
前記ＯＦＤＭ信号を受け取るＭ（Ｍは２以上の整数）個のアンテナと、
前記Ｍ個のアンテナと１対１に対応して接続しているＭ個のフーリエ変換部であって、各フーリエ変換部は対応する前記アンテナが受け取った受信信号からＫ個のサブキャリアを抽出するＭ個のフーリエ変換部と、
Ｌ（Ｌは１≦Ｌ≦Ｋを満たす整数）番目のサブキャリアがパイロットサブキャリアであるかデータサブキャリアであるかを判定する判定手段と、
前記判定手段によりＬ番目のサブキャリアがデータサブキャリアであると判定された場合に、
前記Ｍ個のフーリエ変換部から出力されたサブキャリアに含まれるＭ個のＬ番目のデータサブキャリアの仮のシンボルを判定する第１の判定手段と、
前記Ｍ個のフーリエ変換部から出力されたサブキャリアに含まれるＭ個のＬ−１番目のデータサブキャリアの仮のシンボルを判定する第２の判定手段と、
前記Ｍ個のフーリエ変換部から出力されたサブキャリアに含まれるＭ個のＬ＋１番目のデータサブキャリアの仮のシンボルを判定する第３の判定手段と、
前記Ｍ個のフーリエ変換部から出力されたサブキャリアに含まれるＭ個のＬ番目のデータサブキャリアから、前記Ｌ番目のデータサブキャリアの仮のシンボルとの誤差が小さい方から少なくとも２個のデータサブキャリアを選択する第１のサブキャリア選択手段と、
前記Ｍ個のフーリエ変換部から出力されたサブキャリアに含まれるＭ個のＬ−１番目のデータサブキャリアから、前記Ｌ−１番目のデータサブキャリアの仮のシンボルとの誤差が最も小さい１個のデータサブキャリアを選択する第２のサブキャリア選択手段と、
前記Ｍ個のフーリエ変換部から出力されたサブキャリアに含まれるＭ個のＬ＋１番目のデータサブキャリアから、前記Ｌ＋１番目のデータサブキャリアの仮のシンボルとの誤差が最も小さい１個のデータサブキャリアを選択する第３のサブキャリア選択手段と、
前記第１のサブキャリア選択手段により選択された各第１のサブキャリアと、前記第２及び第３のサブキャリア選択手段により選択された各データサブキャリアに、予め設定された或るウェイトを乗算する乗算手段と、
前記乗算された各データサブキャリアを合成する合成手段と、
前記合成手段により合成された合成信号と前記Ｌ番目のデータサブキャリアの仮のシンボルとの誤差が最も小さくなるように前記ウェイトを算出する算出手段と、を具備することを特徴とするＯＦＤＭ復調装置。
【発明の詳細な説明】
【技術分野】
【０００１】
本発明は、ダイバーシチ受信を行うＯＦＤＭ（Orthogonal Frequency Division Multiplexing）復調装置に関し、特にドップラーシフトによるサブキャリア間干渉を低減するＯＦＤＭ復調装置に関する。
【背景技術】
【０００２】
従来、ドップラーシフト対策としての等化器は周波数領域でサブキャリア間干渉を低減する（例えば、特許文献１参照）。
【特許文献１】特開平６−２６１０１９号公報
【発明の開示】
【発明が解決しようとする課題】
【０００３】
しかしながら、従来の技術においては、ダイバーシチを考慮していない。したがって、従来の技術にダイバーシチを単純に適用すると、各アンテナで受信した受信信号をフーリエ変換し、個別に等化処理を行った後、ダイバーシチ合成を行う構成となる。Ｌ番目のサブキャリアをシンボル判定する場合、各アンテナで個別に等化処理を行い、等化器出力Ｄ１（Ｌ）、Ｄ２（Ｌ）、Ｄ３（Ｌ）をダイバーシチ合成する。
【０００４】
このような構成では、アンテナ数に比例して等化器の処理量が増加するという問題がある。また、等化処理とダイバーシチ合成処理が独立に行われるため、最適な等化合成処理を行うことができない。
【０００５】
この発明は、上述した従来の技術における問題を解決するためになされたものであり、処理量の削減、及び、等化性能の向上することができるＯＦＤＭ復調装置を提供することを目的とする。
【課題を解決するための手段】
【０００６】
本発明のＯＦＤＭ復調装置によれば、パイロットサブキャリアを含むＫ（Ｋは２以上の整数）個のサブキャリアを含むＯＦＤＭ信号を復調するＯＦＤＭ復調装置において、前記ＯＦＤＭ信号を受け取るＭ（Ｍは２以上の整数）個のアンテナと、前記Ｍ個のアンテナと１対１に対応して接続しているＭ個のフーリエ変換部であって、各フーリエ変換部は対応する前記アンテナが受け取った受信信号からＫ個のサブキャリアを抽出するＭ個のフーリエ変換部と、Ｌ（Ｌは１≦Ｌ≦Ｋを満たす整数）番目のサブキャリアがパイロットサブキャリアであるかデータサブキャリアであるかを判定する判定手段と、前記判定手段によりＬ番目のサブキャリアがデータサブキャリアであると判定された場合に、Ｌ番目のデータサブキャリアに等化処理を行うためのウェイトとして、Ｌ番目のデータサブキャリアに最も近い位置に配置されているパイロットサブキャリアに等化処理を行うためのウェイトと同じ値を設定する設定手段と、
前記判定手段により、Ｌ番目のサブキャリアがパイロットサブキャリアであると判定された場合に、前記Ｍ個のフーリエ変換部から出力されたサブキャリアに含まれるＭ個のＬ番目のパイロットサブキャリアから、信号品質の高い方から少なくとも２個のパイロットサブキャリアを選択するパイロットサブキャリア選択手段と、前記Ｍ個のフーリエ変換部から出力されたサブキャリアに含まれるＭ個のＬ−１番目のデータサブキャリアから、信号品質の最も高い１個のデータサブキャリアを選択する第１のサブキャリア選択手段と、前記Ｍ個のフーリエ変換部から出力されたサブキャリアに含まれるＭ個のＬ＋１番目のデータサブキャリアから、信号品質の最も高い１個のデータサブキャリアを選択する第２のサブキャリア選択手段と、前記パイロットサブキャリア選択手段により選択された各パイロットサブキャリアと、前記第１及び第２のサブキャリア選択手段により選択された各データサブキャリアに、予め設定された或るウェイトを乗算する乗算手段と、前記乗算された各パイロットサブキャリア及び各データサブキャリアを合成する合成手段と、前記合成手段により合成された合成信号と或る既知信号との誤差が最も小さくなるように前記ウェイトを算出する算出手段と、を具備することを特徴とする。
【０００７】
また、本発明のＯＦＤＭ復調装置によれば、パイロットサブキャリアを含むＫ（Ｋは２以上の整数）個のサブキャリアを含むＯＦＤＭ信号を復調するＯＦＤＭ復調装置において、前記ＯＦＤＭ信号を受け取るＭ（Ｍは２以上の整数）個のアンテナと、前記Ｍ個のアンテナと１対１に対応して接続しているＭ個のフーリエ変換部であって、各フーリエ変換部は対応する前記アンテナが受け取った受信信号からＫ個のサブキャリアを抽出するＭ個のフーリエ変換部と、Ｌ（Ｌは１≦Ｌ≦Ｋを満たす整数）番目のサブキャリアがパイロットサブキャリアであるかデータサブキャリアであるかを判定する判定手段と、前記判定手段によりＬ番目のサブキャリアがデータサブキャリアであると判定された場合に、Ｌ番目のデータサブキャリアに等化処理を行うためのウェイトとして、Ｌ番目のデータサブキャリアに最も近い位置に配置されているパイロットサブキャリアに等化処理を行うためのウェイトと同じ値を設定する設定手段と、
前記判定手段により、Ｌ番目のサブキャリアがパイロットサブキャリアであると判定された場合に、前記Ｍ個のフーリエ変換部から出力されたサブキャリアに含まれるＭ個のＬ番目のパイロットサブキャリアから、信号品質の高い方から少なくとも２個のパイロットサブキャリアを選択するパイロットサブキャリア選択手段と、前記Ｍ個のフーリエ変換部から出力されたサブキャリアに含まれるＭ個のＬ−１番目のデータサブキャリアから、信号レベルの最も高い１個のデータサブキャリアを選択する第１のサブキャリア選択手段と、前記Ｍ個のフーリエ変換部から出力されたサブキャリアに含まれるＭ個のＬ＋１番目のデータサブキャリアから、信号レベルの最も高い１個のデータサブキャリアを選択する第２のサブキャリア選択手段と、前記パイロットサブキャリア選択手段により選択された各パイロットサブキャリアと、前記第１及び第２のサブキャリア選択手段により選択された各データサブキャリアに、予め設定された或るウェイトを乗算する乗算手段と、前記乗算された各パイロットサブキャリア及び各データサブキャリアを合成する合成手段と、前記合成手段により合成された合成信号と或る既知信号との誤差が最も小さくなるように前記ウェイトを算出する算出手段と、を具備することを特徴とする。
【０００８】
さらに、本発明のＯＦＤＭ復調装置によれば、パイロットサブキャリアを含むＫ（Ｋは２以上の整数）個のサブキャリアを含むＯＦＤＭ信号を復調するＯＦＤＭ復調装置において、前記ＯＦＤＭ信号を受け取るＭ（Ｍは２以上の整数）個のアンテナと、前記Ｍ個のアンテナと１対１に対応して接続しているＭ個のフーリエ変換部であって、各フーリエ変換部は対応する前記アンテナが受け取った受信信号からＫ個のサブキャリアを抽出するＭ個のフーリエ変換部と、Ｌ（Ｌは１≦Ｌ≦Ｋを満たす整数）番目のサブキャリアがパイロットサブキャリアであるかデータサブキャリアであるかを判定する判定手段と、前記判定手段によりＬ番目のサブキャリアがデータサブキャリアであると判定された場合に、Ｌ番目のサブキャリアに等化処理を行うためのウェイトとして、Ｌ番目のサブキャリアに最も近い位置に配置されているパイロットサブキャリアに等化処理を行うためのウェイトと同じ値を設定する設定手段と、
前記判定手段により、Ｌ番目のサブキャリアがパイロットサブキャリアであると判定された場合に、Ｌ番目のパイロットサブキャリアにマッピングする既知信号を生成する信号生成手段と、前記Ｍ個のフーリエ変換部から出力されたサブキャリアに含まれるＭ個のＬ番目のパイロットサブキャリアから、前記既知信号との誤差が小さい方から少なくとも２個のパイロットサブキャリアを選択するパイロットサブキャリア選択手段と、前記Ｍ個のフーリエ変換部から出力されたサブキャリアに含まれるＭ個のＬ−１番目のデータサブキャリアから、信号品質の最も高い１個のデータサブキャリアを選択する第１のサブキャリア選択手段と、前記Ｍ個のフーリエ変換部から出力されたサブキャリアに含まれるＭ個のＬ＋１番目のデータサブキャリアから、信号品質の最も高い１個のデータサブキャリアを選択する第２のサブキャリア選択手段と、前記パイロットサブキャリア選択手段により選択された各パイロットサブキャリアと、前記第１及び第２のサブキャリア選択手段により選択された各データサブキャリアに、予め設定された或るウェイトを乗算する乗算手段と、前記乗算された各パイロットサブキャリア及び各データサブキャリアを合成する合成手段と、前記合成手段により合成された合成信号と或る既知信号との誤差が最も小さくなるように前記ウェイトを算出する算出手段と、を具備することを特徴とする。
【０００９】
またさらに、本発明のＯＦＤＭ復調装置によれば、パイロットサブキャリアを含むＫ（Ｋは２以上の整数）個のサブキャリアを含むＯＦＤＭ信号を復調するＯＦＤＭ復調装置において、前記ＯＦＤＭ信号を受け取るＭ（Ｍは２以上の整数）個のアンテナと、前記Ｍ個のアンテナと１対１に対応して接続しているＭ個のフーリエ変換部であって、各フーリエ変換部は対応する前記アンテナが受け取った受信信号からＫ個のサブキャリアを抽出するＭ個のフーリエ変換部と、Ｌ（Ｌは１≦Ｌ≦Ｋを満たす整数）番目のサブキャリアがパイロットサブキャリアであるかデータサブキャリアであるかを判定する判定手段と、前記判定手段によりＬ番目のサブキャリアがデータサブキャリアであると判定された場合に、Ｌ番目のデータサブキャリアに等化処理を行うためのウェイトとして、Ｌ番目のデータサブキャリアに最も近い位置に配置されているパイロットサブキャリアに等化処理を行うためのウェイトと同じ値を設定する設定手段と、
前記判定手段により、Ｌ番目のサブキャリアがパイロットサブキャリアであると判定された場合に、Ｌ番目のパイロットサブキャリアにマッピングする既知信号を生成する信号生成手段と、前記Ｍ個のフーリエ変換部から出力されたサブキャリアに含まれるＭ個のＬ番目のパイロットサブキャリアから、前記既知信号との誤差が小さい方から少なくとも２個のパイロットサブキャリアを選択するパイロットサブキャリア選択手段と、前記Ｍ個のフーリエ変換部から出力されたサブキャリアに含まれるＭ個のＬ番目のパイロットサブキャリアから、前記既知信号との誤差が最も小さいパイロットサブキャリアがＭ個のパイロットサブキャリアのうちのどれであるかを指定する指定情報を生成する情報生成手段と、前記Ｍ個のフーリエ変換部から出力されたサブキャリアに含まれるＭ個のＬ−１番目のデータサブキャリアから、前記指定情報に基づいて前記誤差が最も小さいパイロットサブキャリアに対応する１個のデータサブキャリアを選択する第１のサブキャリア選択手段と、前記Ｍ個のフーリエ変換部から出力されたサブキャリアに含まれるＭ個のＬ＋１番目のデータサブキャリアから、前記指定情報に基づいて前記誤差が最も小さいパイロットサブキャリアに対応する１個のデータサブキャリアを選択する第２のサブキャリア選択手段と、前記パイロットサブキャリア選択手段により選択された各パイロットサブキャリアと、前記第１及び第２のサブキャリア選択手段により選択された各データサブキャリアに、予め設定された或るウェイトを乗算する乗算手段と、前記乗算された各パイロットサブキャリア及び各データサブキャリアを合成する合成手段と、前記合成手段により合成された合成信号と或る既知信号との誤差が最も小さくなるように前記ウェイトを算出する算出手段と、を具備することを特徴とする。
【００１０】
さらにまた、本発明のＯＦＤＭ復調装置によれば、パイロットサブキャリアを含むＫ（Ｋは２以上の整数）個のサブキャリアを含むＯＦＤＭ信号を復調するＯＦＤＭ復調装置において、前記ＯＦＤＭ信号を受け取るＭ（Ｍは２以上の整数）個のアンテナと、前記Ｍ個のアンテナと１対１に対応して接続しているＭ個のフーリエ変換部であって、各フーリエ変換部は対応する前記アンテナが受け取った受信信号からＫ個のサブキャリアを抽出するＭ個のフーリエ変換部と、Ｌ（Ｌは１≦Ｌ≦Ｋを満たす整数）番目のサブキャリアがパイロットサブキャリアであるかデータサブキャリアであるかを判定する判定手段と、前記判定手段によりＬ番目のサブキャリアがデータサブキャリアであると判定された場合に、前記Ｍ個のフーリエ変換部から出力されたサブキャリアに含まれるＭ個のＬ番目のデータサブキャリアの仮のシンボルを判定する第１の判定手段と、前記Ｍ個のフーリエ変換部から出力されたサブキャリアに含まれるＭ個のＬ−１番目のデータサブキャリアの仮のシンボルを判定する第２の判定手段と、前記Ｍ個のフーリエ変換部から出力されたサブキャリアに含まれるＭ個のＬ＋１番目のデータサブキャリアの仮のシンボルを判定する第３の判定手段と、前記Ｍ個のフーリエ変換部から出力されたサブキャリアに含まれるＭ個のＬ番目のデータサブキャリアから、前記Ｌ番目のデータサブキャリアの仮のシンボルとの誤差が小さい方から少なくとも２個のデータサブキャリアを選択する第１のサブキャリア選択手段と、前記Ｍ個のフーリエ変換部から出力されたサブキャリアに含まれるＭ個のＬ−１番目のデータサブキャリアから、前記Ｌ−１番目のデータサブキャリアの仮のシンボルとの誤差が最も小さい１個のデータサブキャリアを選択する第２のサブキャリア選択手段と、前記Ｍ個のフーリエ変換部から出力されたサブキャリアに含まれるＭ個のＬ＋１番目のデータサブキャリアから、前記Ｌ＋１番目のデータサブキャリアの仮のシンボルとの誤差が最も小さい１個のデータサブキャリアを選択する第３のサブキャリア選択手段と、前記第１のサブキャリア選択手段により選択された各第１のサブキャリアと、前記第２及び第３のサブキャリア選択手段により選択された各データサブキャリアに、予め設定された或るウェイトを乗算する乗算手段と、前記乗算された各データサブキャリアを合成する合成手段と、前記合成手段により合成された合成信号と前記Ｌ番目のデータサブキャリアの仮のシンボルとの誤差が最も小さくなるように前記ウェイトを算出する算出手段と、を具備することを特徴とする。
【発明の効果】
【００１１】
本発明のＯＦＤＭ復調装置によれば、処理量の削減、及び、等化性能の向上することができる。
【発明を実施するための最良の形態】
【００１２】
以下、図面を参照しながら本発明の実施形態にかかるＯＦＤＭ復調装置について詳細に説明する。  
本発明の実施形態にかかるＯＦＤＭ復調装置の概略について図１を参照して説明する。  
本発明の実施形態のＯＦＤＭ復調装置は、複数のアンテナ（ここでは、一例としてアンテナ本数Ｍを３本とする）１０１，１０２，１０３、ＦＦＴ（fast Fourier transformer）１０４，１０５，１０６、等化合成部１０７、判定部１０８を備えている。各ＦＦＴ１０４，１０５，１０６は、各アンテナに１対１に対応して接続している。図１の例では、ＦＦＴ１０４はアンテナ１０１に接続し、ＦＦＴ１０５はアンテナ１０２に接続し、ＦＦＴ１０６はアンテナ１０３に接続している。
【００１３】
アンテナ１０１，１０２，１０３がＯＦＤＭ信号を受信する。この受信されたＯＦＤＭ信号は、それぞれ、ＬＮＡ（図示せず）で増幅される。増幅されたＯＦＤＭ信号は、周波数変換部（図示せず）でＩＦ周波数帯に変換される。周波数変換された信号は、可変ゲインアンプ（図示せず）で適切な信号レベルに調整される。信号レベルが調整された信号は、直交復調部（図示せず）でベースバンド信号に直交復調され、その後、Ａ／Ｄ変換器（図示せず）でデジタル信号に変換される。図示しなかった装置部分は、従来から存在し、当該技術の技術者には自明であるので、簡単な説明にとどめた。
【００１４】
各ＦＦＴ１０４，１０５，１０６は、それぞれＡ／Ｄ変換器の出力信号であるデジタル信号からＫ個のサブキャリアを抽出する。
【００１５】
等化合成部１０７は、各ＦＦＴ１０４，１０５，１０６からＫ個のサブキャリアを入力し、サブキャリアごとに等化処理及びダイバーシチ合成処理を行う。等化合成部１０７は、フィードバックにより等化処理及びダイバーシチ合成処理を行う。ここで等化処理とは、ウェイトで重み付けを行なった複数の受信信号を合成し、合成信号と既知信号との誤差が最も小さくなるウェイトを算出して設定することで、合成信号の信号品質を改善する処理である。等化合成部１０７は、ダイバーシチ合成処理を行った信号を再び入力し、この入力した信号を基にして等化処理及びダイバーシチ合成処理を行う。このように、本発明の実施形態では、等化処理とダイバーシチ合成処理を連携して行う。等化合成部１０７がダイバーシチ合成処理を行う場合に算出するウェイトについては後に図２を参照して説明する。  
判定部１０８は、等化合成部１０７の出力信号をシンボル判定する。
【００１６】
次に、本発明の実施形態で使用されるＯＦＤＭ信号のフォーマットについて図２を参照して説明する。  
本発明の実施形態でのＯＦＤＭ信号は、図２に示すように周波数軸上にサブキャリア４個おきに既知信号であるパイロットサブキャリアが配置されている。すなわち、図２の例の場合には、図１の１，５，９番目にパイロットサブキャリアが配置され、２，３，４，６，７，８番目にデータを含むサブキャリア（以後、データサブキャリアと称する）が配置される。
【００１７】
等化合成部１０７は、Ｌ番目のサブキャリアがデータサブキャリアであり、かつ、このデータサブキャリアにパイロットサブキャリアが隣接している場合には、Ｌ番目のサブキャリアに等化処理を行うためのウェイトとして、隣接するパイロットサブキャリアに等化処理を行うためのウェイトと同じウェイトを設定する。等化合成部１０７は、例えば、図２の例では、４番目、６番目のデータサブキャリアに等化処理を行うためのウェイトとして、隣接する５番目のパイロットサブキャリアに等化処理を行うためのウェイトと同じ値を設定する。  
一方、等化合成部１０７は、Ｌ番目のサブキャリアがデータサブキャリアであり、かつ、このデータサブキャリアにパイロットサブキャリアが隣接していない場合には、Ｌ番目のサブキャリアに等化処理を行うためのウェイトとして、Ｌ番目のサブキャリアに最も近い位置に配置されているパイロットサブキャリアに等化処理を行うためのウェイトと同じ値を設定する。等化合成部１０７は、例えば、図２の例では、３番目のデータサブキャリアに等化処理を行うためのウェイトとして、３番目のデータサブキャリアに最も近い１番目又は５番目のパイロットサブキャリアに等化処理を行うためのウェイトと同じウェイトを設定する。  
また、等化合成部１０７は、Ｌ番目のサブキャリアがパイロットサブキャリアであるかデータサブキャリアであるかを判定する。すなわち、等化合成部１０７は、何番目にパイロットサブキャリアがあり、何番目にデータサブキャリアが配置しているかの情報を得ることができる。
【００１８】
以下、Ｌ番目のサブキャリアがパイロットサブキャリアである場合にＬ番目のサブキャリアに等化処理を行うためのウェイトを算出する手法について説明する。この手法を行う等化合成部１０７の実施形態を第１から第７の実施形態として図面を参照して説明する。すなわち、以下の実施形態では、Ｌ番目のサブキャリアがパイロットサブキャリアの場合である。  
（第１の実施形態）   
本実施形態の等化合成部１０７について図３を参照して説明する。  
本実施形態の等化合成部１０７は、選択部３０１，３０２，３０３、ウェイト乗算部３０４，３０５，３０６，３０７、合成部３０８を備えている。  
選択部３０１は、アンテナ本数に対応するＭ個のＬ−１番目のデータサブキャリアを入力する。本実施形態ではＭ＝３であるので、Ｘ１（Ｌ−１）、Ｘ２（Ｌ−１）、Ｘ３（Ｌ−１）を入力する。選択部３０１は、例えば、入力したデータサブキャリアの信号品質を測定し、これらのデータサブキャリアのうちの信号品質の高いものを信号品質の高い順に少なくとも１個選択する。図３の例では、選択部３０１は、信号品質の高いデータサブキャリア（例えば、Ｘ１（Ｌ−１））を１個選択している。ここでは、選択部３０１が、信号品質を測定して、この信号品質に基づいてデータサブキャリアを選択しているが、他の例について後に第５、第６の実施形態で説明する。
【００１９】
選択部３０２は、アンテナ本数に対応するＭ個のＬ番目のパイロットサブキャリアを入力する。本実施形態では、選択部３０２は、Ｘ１（Ｌ）、Ｘ２（Ｌ）、Ｘ３（Ｌ）を入力する。選択部３０２は、入力したパイロットサブキャリアの信号品質を測定し、これらのパイロットサブキャリアのうちの信号品質の高いもの（例えば、Ｘ１（Ｌ）、Ｘ２（Ｌ））を信号品質の高い順に少なくとも２個選択する。図３の例では、選択部３０２は、信号品質の高いパイロットサブキャリアを２個選択している。
【００２０】
選択部３０３は、アンテナ本数に対応するＭ個のＬ＋１番目のデータサブキャリアを入力する。本実施形態ではＭ＝３であるので、Ｘ１（Ｌ＋１）、Ｘ２（Ｌ＋１）、Ｘ３（Ｌ
１）を入力する。選択部３０３は、例えば、入力したデータサブキャリアの信号品質を測定し、これらのデータサブキャリアのうちの信号品質の高いものを信号品質の高い順に少なくとも１個選択する。図３の例では、選択部３０３は、信号品質の高いデータサブキャリア（例えば、Ｘ２（Ｌ＋１））を１個選択している。ここでは、選択部３０３が、信号品質を測定して、この信号品質に基づいてデータサブキャリアを選択しているが、他の例について後に第５、第６の実施形態で説明する。
【００２１】
各ウェイト乗算部３０４，３０５，３０６，３０７は、ウェイト算出部３０９が出力したウェイトに関する情報をそれぞれ入力して、各情報に対応するウェイトを入力したサブキャリアに乗算する。各ウェイト乗算部３０４，３０７は、それぞれ、選択部３０１，３０３からデータサブキャリアを入力する。各ウェイト乗算部３０５，３０６は、選択部３０２からパイロットサブキャリアを入力する。
【００２２】
合成部３０８は、各ウェイト乗算部３０４，３０５，３０６，３０７が出力した信号を合成する。合成部３０８は、判定部１０８に合成した信号を出力すると共に、合成した信号をウェイト算出部３０９にフィードバックする。
【００２３】
ウェイト算出部３０９は、入力した合成信号をある既知信号と比較し、この合成信号と既知信号との誤差が最も小さくなるようなウェイトを算出する。この誤差ＥＬは、Ｌ番目のパイロットサブキャリアの合成信号をＸＬ、Ｌ番目のパイロットサブキャリアの既知信号をＳＬとすると、ＥＬ＝ＸＬ−ＳＬと表される。また、ウェイト算出部３０９は、この合成信号と既知信号との誤差が予め決められた閾値よりも小さくなるようなウェイトを算出してもよい。また、ウェイト算出部３０９は、合成信号を入力していない初期状態では、予め用意されたウェイトを各ウェイト乗算部３０４，３０５，３０６，３０７に出力する。
【００２４】
以上に説明した第１の実施形態によれば、アンテナ本数に対応するＭ個のＬ番目のパイロットサブキャリアのうちの少なくとも２個のパイロットサブキャリアを選択して各々にウェイトを乗算しウェイトを乗算したサブキャリアを合成し、合成信号の誤差を小さくするウェイトを設定することにより、ダイバーシチ合成処理を行う。また、本実施形態によれば、Ｍ個のＬ−１番目のサブキャリアのうちの少なくとも１個のサブキャリアを選択してウェイトを乗算し、Ｍ個のＬ＋１番目のサブキャリアのうちの少なくとも１個のサブキャリアを選択してウェイトを乗算し、ウェイトを乗算したサブキャリアを合成し、合成信号の誤差を小さくするウェイトを設定することにより、等化処理を行う。  
したがって、本実施形態によれば、等化処理とダイバーシチ合成処理を連携して行うことができ、隣接サブキャリア間干渉を除去する等化処理において、信号品質が高い隣接サブキャリアを１個だけ選択することにより、信号品質とは無関係にＭ個の隣接サブキャリアを使用する場合と比べて、ウェイトが減ることによる処理量の削減、及び、等化性能の向上が可能になる。
【００２５】
（第２の実施形態）   
本実施形態の等化合成部１０７について図４を参照して説明する。また、第１の実施形態で図１又は図３を参照して説明した装置部分と同様な装置部分は同一の符号を付し説明を省略する。  
本実施形態の等化合成部１０７は、第１の実施形態の等化合成部１０７から選択部３０２を取り除き、新たにウェイト乗算部４０１を加えている。ウェイト乗算部４０１の追加に伴いウェイト算出部の出力が１つ増加する。
【００２６】
各ウェイト乗算部４０１，３０５，３０６は、アンテナ本数に対応するＭ個のＬ番目のパイロットサブキャリアを入力して、ウェイト算出部４０２が出力したウェイトに関する情報をそれぞれ入力して、各情報に対応するウェイトを、入力したパイロットサブキャリアに乗算する。
【００２７】
以上に説明した第２の実施形態によれば、第１の実施形態で得られる効果に加えて、Ｍ個のＬ番目のパイロットサブキャリアを全て使用することによって、選択処理が省略されることによる処理量の削減が可能になる。
【００２８】
（第３の実施形態）   
本実施形態の等化合成部１０７について図５及び図６を参照して説明する。また、第１の実施形態で図１又は図３を参照して説明した装置部分と同様な装置部分は同一の符号を付し説明を省略する。  
本実施形態の等化合成部１０７は、第１の実施形態の選択部３０２を最小誤差選択部５０１に変更したことである。これに伴い、Ｌ番目Ｐｉｌｏｔ既知信号生成部５０２が追加される。
【００２９】
最小誤差選択部５０１は、アンテナ本数に対応するＭ個のＬ番目のパイロットサブキャリア及びＬ番目のパイロット既知信号を入力する。本実施形態では、最小誤差選択部５０１は、Ｘ１（Ｌ）、Ｘ２（Ｌ）、Ｘ３（Ｌ）を入力する。最小誤差選択部５０１は、入力したパイロットサブキャリアとＬ番目Ｐｉｌｏｔ既知信号生成部５０２から入力したパイロット既知信号とを比較し誤差が小さくなるパイロットサブキャリアを小さい順番で少なくとも２つ選択する。図５の例では、最小誤差選択部５０１は、誤差が最も小さいパイロットサブキャリアと誤差が２番目に小さいパイロットサブキャリアとの２個（例えば、Ｘ１（Ｌ）、Ｘ２（Ｌ））を選択している。この誤差が小さいほど第１の実施形態で参照した信号品質はよくなる。  
Ｌ番目Ｐｉｌｏｔ既知信号生成部５０２は、Ｌ番目のパイロットサブキャリアにマッピングされた既知信号を生成して、最小誤差選択部５０１に出力する。
【００３０】
次に、最小誤差選択部５０１の詳細について図６を参照して説明する。  
最小誤差選択部５０１は、誤差算出部６０１、最小誤差検出部６０２、セレクタ６０３を備えている。
【００３１】
誤差算出部６０１は、Ｌ番目のパイロットサブキャリアの既知信号と各パイロットサブキャリアＸ１（Ｌ）、Ｘ２（Ｌ）、Ｘ３（Ｌ）を比較して誤差を算出する。  
最小誤差検出部６０２は、誤差算出部６０１で検出された複数の誤差を入力して、これらのうちから最も小さい誤差に対応するパイロットサブキャリアを検出する。次に、最小誤差検出部６０２は、この最も小さい誤差に対応するパイロットサブキャリアを除いたパイロットサブキャリアに対応する誤差のうちから、最も小さい誤差を検出する。この結果、最小誤差検出部６０２は、誤差が最も小さいパイロットサブキャリアと誤差が２番目に小さいパイロットサブキャリアとの２個（例えば、Ｘ１（Ｌ）、Ｘ２（Ｌ））を検出することができる。
【００３２】
セレクタ６０３は、最小誤差検出部６０２で検出された２つのパイロットサブキャリアを選択し、それぞれウェイト乗算部３０５，３０６に出力する。
【００３３】
以上に説明した第３の実施形態によれば、第１の実施形態で得られる効果に加えて、既知信号を利用しているので精度のよい、等化処理とダイバーシチ合成処理を行うことができる。
【００３４】
（第４の実施形態）   
本実施形態の等化合成部１０７について図７を参照して説明する。また、第１の実施形態で図１又は図３を参照して説明した装置部分と同様な装置部分は同一の符号を付し説明を省略する。  
本実施形態の等化合成部１０７は、第１の実施形態の等化合成部１０７にＬ番目Ｐｉｌｏｔ既知信号生成部７０１を追加したものである。Ｌ番目Ｐｉｌｏｔ既知信号生成部７０１の追加に伴い、ウェイト算出部の入力が１つ増加する。
【００３５】
Ｌ番目Ｐｉｌｏｔ既知信号生成部７０１は、Ｌ番目のパイロット信号の既知信号を生成して、Ｌ番目Ｐｉｌｏｔ既知信号生成部７０１に出力する。
【００３６】
ウェイト算出部７０２は、Ｌ番目Ｐｉｌｏｔ既知信号生成部７０１が生成した、Ｌ番目のパイロットサブキャリアにマッピングされた既知信号と、Ｌ番目のサブキャリアがパイロットサブキャリアである場合の合成信号Ｄ（Ｌ）との誤差を小さくするウェイトを設定する。ウェイト算出部７０２は、この設定したウェイトを各ウェイト乗算部３０４，３０５，３０６，３０７に出力する。
【００３７】
以上に説明した第４の実施形態によれば、第１の実施形態で得られる効果に加えて、既知信号を利用しているので精度のよい、等化処理とダイバーシチ合成処理を行うことができる。また、第４の実施形態によれば、既知信号との誤差を小さくするウェイトを設定することで、伝送路応答の補正も同時に行うことができる。
【００３８】
（第５の実施形態）   
本実施形態の等化合成部１０７について図８及び図９を参照して説明する。また、第１の実施形態で図１又は図３、第３の実施形態で図５を参照して説明した装置部分と同様な装置部分は同一の符号を付し説明を省略する。  
本実施形態の等化合成部１０７は、第１の実施形態の等化合成部１０７とは、選択部３−１及び３−２が異なり、かつ、Ｌ番目Ｐｉｌｏｔ既知信号生成部５０２を新たに備えていることが異なる。
【００３９】
選択部８０２は、アンテナ本数に対応するＭ個のＬ番目のパイロットサブキャリア及びＬ番目のパイロット既知信号を入力する。本実施形態では、選択部８０２は、Ｘ１（Ｌ）、Ｘ２（Ｌ）、Ｘ３（Ｌ）を入力する。選択部８０２は、入力したパイロットサブキャリアとＬ番目Ｐｉｌｏｔ既知信号生成部５０２から入力したパイロット既知信号とを比較し誤差が小さくなるパイロットサブキャリアを小さい順番で少なくとも２つ選択する。また、選択部８０２は、誤差が最も小さくなるパイロットサブキャリアが、Ｍ個のＬ番目のパイロットサブキャリアのうちのどれであるかを指定する指定情報を選択部８０１，８０３に出力する。図８の例では、選択部８０２は、誤差が最も小さいパイロットサブキャリアと誤差が２番目に小さいパイロットサブキャリアとの２個（例えば、Ｘ１（Ｌ）、Ｘ２（Ｌ））を選択している。この誤差が小さいほど第１の実施形態で参照した信号品質はよくなる。  
選択部８０１，８０３は、選択部８０２から指定情報を受け取り、この指定情報が示す番目に対応したデータサブキャリアを選択する。
【００４０】
具体的には、選択部８０２が、Ｍ＝３個のＬ番目のパイロットサブキャリアＸ１（Ｌ）、Ｘ２（Ｌ）、Ｘ３（Ｌ）のうちＮ番目（例えば、Ｎ＝１）のアンテナで受信したＬ番目のパイロットサブキャリアの既知信号との誤差が最小であると検出した場合には、Ｎ＝１番目である指定情報を選択部８０１，８０３に出力する。選択部８０１は、Ｍ＝３個のＬ−１番目のサブキャリアのうちのＮ＝１番目のアンテナで受信したサブキャリアＸ１（Ｌ−１）を選択し、選択部８０１は、Ｍ＝３個のＬ＋１番目のサブキャリアのうちＮ＝１番目のアンテナで受信したサブキャリアＸ１（Ｌ＋１）を選択する。
【００４１】
次に、選択部８０２の詳細について図９を参照して説明する。第３の実施形態で図６を参照して説明した装置部分と同様な装置部分は同一の符号を付し説明を省略する。  
選択部８０２は、誤差算出部６０１、最小誤差検出部９０１、セレクタ６０３を備えている。
【００４２】
最小誤差検出部９０１は、誤差算出部６０１で検出された複数の誤差を入力して、これらのうちから最も小さい誤差に対応するパイロットサブキャリアを検出する。次に、最小誤差検出部９０１は、この最も小さい誤差に対応するパイロットサブキャリアを除いたパイロットサブキャリアに対応する誤差のうちから、最も小さい誤差を検出する。この結果、最小誤差検出部９０１は、誤差が最も小さいパイロットサブキャリアと誤差が２番目に小さいパイロットサブキャリアとの２個（例えば、Ｘ１（Ｌ）、Ｘ２（Ｌ））を検出することができる。また、最小誤差検出部９０１は、検出した２個のパイロットサブキャリアを示す情報をセレクタ６０３に出力する。さらに、最小誤差検出部９０１は、最も小さい誤差に対応するパイロットサブキャリアを示す情報を選択部８０１，８０３に出力する。
【００４３】
以上に説明した第５の実施形態では、第１の実施形態で得られる効果に加えて、既知信号を利用しているので精度のよい、等化処理とダイバーシチ合成処理を行うことができる。また、第５の実施形態によれば、隣接するサブキャリアの信号品質は近いので、データサブキャリアの信号品質を隣接するパイロットサブキャリアの信号品質で代用することで信号品質が高いデータサブキャリアを選択することが可能になる。
【００４４】
（第６の実施形態）   
本実施形態の等化合成部１０７について図１０を参照して説明する。また、第１の実施形態で図１又は図３を参照して説明した装置部分と同様な装置部分は同一の符号を付し説明を省略する。  
本実施形態の等化合成部１０７は、第１の実施形態の等化合成部１０７とは、選択部３０１，３０３の代わりに、最大レベル選択部１００１，１００２を備えていることが異なる。
【００４５】
最大レベル選択部１００１は、アンテナ本数に対応するＭ個のＬ−１番目のデータサブキャリアを入力する。本実施形態ではＭ＝３であるので、Ｘ１（Ｌ−１）、Ｘ２（Ｌ−１）、Ｘ３（Ｌ−１）を入力する。最大レベル選択部１００１は、入力したデータサブキャリアの信号レベルを測定し、これらのデータサブキャリアのうちの信号レベルが最大のものを少なくとも１個選択する。図１０の例では、最大レベル選択部１００１は、信号レベルの高いデータサブキャリア（例えば、Ｘ１（Ｌ−１））を１個選択している。
【００４６】
最大レベル選択部１００２は、アンテナ本数に対応するＭ個のＬ＋１番目のデータサブキャリアを入力する。本実施形態ではＭ＝３であるので、Ｘ１（Ｌ＋１）、Ｘ２（Ｌ＋１）、Ｘ３（Ｌ＋１）を入力する。最大レベル選択部１００２は、入力したデータサブキャリアの信号レベルを測定し、これらのデータサブキャリアのうちの信号レベルが最大のものを少なくとも１個選択する。図１０の例では、最大レベル選択部１００２は、信号レベルの高いデータサブキャリア（例えば、Ｘ１（Ｌ＋１））を１個選択している。
【００４７】
以上に説明した第６の実施形態によれば、第１の実施形態で得られる効果に加えて、他の実施形態での、Ｍ個の所定番目のサブキャリアから特定のサブキャリアを選択する場合よりも選択に要する処理が容易であるので、処理量を削減することができる。
【００４８】
（第７の実施形態）   
本実施形態の等化合成部１０７について図１１を参照して説明する。また、第１の実施形態で図１又は図３を参照して説明した装置部分と同様な装置部分は同一の符号を付し説明を省略する。  
本実施形態の等化合成部１０７は、第１の実施形態の等化合成部１０７とは、選択部３０１，３０２，３０３の代わりに、最小誤差選択部１１０１，１１０２，１１０３及びＬ−１番目データ仮判定信号生成部１１０４、Ｌ番目データ仮判定信号生成部１１０５、Ｌ＋１番目データ仮判定信号生成部１１０６を新たに備えていることが異なる。
【００４９】
Ｌ−１番目データ仮判定信号生成部１１０４は、ＦＦＴ１０４の出力信号Ｘ１（Ｌ−１）を入力し、Ｌ−１番目のデータサブキャリアのシンボルを仮判定する。そして、Ｌ−１番目データ仮判定信号生成部１１０４は、仮判定されたシンボルを最小誤差選択部１１０１に出力する。
【００５０】
Ｌ番目データ仮判定信号生成部１１０５は、ＦＦＴ１０５の出力信号Ｘ１（Ｌ）を入力し、Ｌ番目のデータサブキャリアのシンボルを仮判定する。そして、Ｌ番目データ仮判定信号生成部１１０５は、仮判定されたシンボルを最小誤差選択部１１０２に出力する。
【００５１】
Ｌ＋１番目データ仮判定信号生成部１１０６は、ＦＦＴ１０６の出力信号Ｘ１（Ｌ＋１）を入力し、Ｌ＋１番目のデータサブキャリアのシンボルを仮判定する。そして、Ｌ＋１番目データ仮判定信号生成部１１０６は、仮判定されたシンボルを最小誤差選択部１１０３に出力する。
【００５２】
最小誤差選択部１１０１は、アンテナ本数に対応するＭ個のＬ−１番目のデータサブキャリアを入力する。本実施形態ではＭ＝３であるので、Ｘ１（Ｌ−１）、Ｘ２（Ｌ−１）、Ｘ３（Ｌ−１）を入力する。最小誤差選択部１１０１は、Ｌ−１番目データ仮判定信号生成部１１０４から入力した仮判定されたシンボルと、Ｍ個のＬ−１番目のデータサブキャリアのそれぞれとの誤差を算出し、誤差が最も小さいものから少なくとも１個のデータサブキャリアを選択する。最小誤差選択部１１０１は、例えば、Ｍ＝３個のＬ−１番目のデータサブキャリアＸ１（Ｌ−１）、Ｘ２（Ｌ−１）、Ｘ３（Ｌ−１）と仮判定されたシンボルとの誤差を算出し、誤差が最も小さいものから少なくとも１個のデータサブキャリア（例えば、Ｘ１（Ｌ−１））を選択する。
【００５３】
最小誤差選択部１１０２は、アンテナ本数に対応するＭ個のＬ番目のパイロットサブキャリアを入力する。本実施形態ではＭ＝３であるので、Ｘ１（Ｌ）、Ｘ２（Ｌ）、Ｘ３（Ｌ）を入力する。最小誤差選択部１１０２は、Ｌ番目データ仮判定信号生成部１１０５から入力した仮判定されたシンボルと、Ｍ個のＬ番目のパイロットサブキャリアのそれぞれとの誤差を算出し、誤差が最も小さいものから少なくとも２個のパイロットサブキャリアを選択する。最小誤差選択部１１０２は、例えば、Ｍ＝３個のＬ番目のパイロットサブキャリアＸ１（Ｌ）、Ｘ２（Ｌ）、Ｘ３（Ｌ）と仮判定されたシンボルとの誤差を算出し、誤差が最も小さいものから少なくとも２個のデータサブキャリア（例えば、Ｘ１（Ｌ）、Ｘ２（Ｌ））を選択する。
【００５４】
最小誤差選択部１１０３は、アンテナ本数に対応するＭ個のＬ＋１番目のデータサブキャリアを入力する。本実施形態ではＭ＝３であるので、Ｘ１（Ｌ＋１）、Ｘ２（Ｌ＋１）、Ｘ３（Ｌ＋１）を入力する。最小誤差選択部１１０３は、Ｌ＋１番目データ仮判定信号生成部１１０６から入力した仮判定されたシンボルと、Ｍ個のＬ＋１番目のデータサブキャリアのそれぞれとの誤差を算出し、誤差が最も小さいものから少なくとも１個のデータサブキャリアを選択する。最小誤差選択部１１０３は、例えば、Ｍ＝３個のＬ＋１番目のデータサブキャリアＸ１（Ｌ＋１）、Ｘ２（Ｌ＋１）、Ｘ３（Ｌ＋１）と仮判定されたシンボルとの誤差を算出し、誤差が最も小さいものから少なくとも１個のデータサブキャリア（例えば、Ｘ１（Ｌ＋１））を選択する。
【００５５】
ウェイト算出部１１０７は、入力した合成信号をＬ番目データ仮判定信号生成部１１０４が生成する仮判定されたシンボルと比較し、この合成信号と仮判定されたシンボルとの誤差が最も小さくなるようなウェイトを算出する。また、ウェイト算出部１１０７は、この合成信号と仮判定されたシンボルとの誤差が予め決められた閾値よりも小さくなるようなウェイトを算出してもよい。また、ウェイト算出部１１０７は、合成信号を入力していない初期状態では、予め用意されたウェイトを各ウェイト乗算部３０４，３０５，３０６，３０７に出力する。
【００５６】
以上に説明した第７の実施形態によれば、第１の実施形態で得られる効果に加えて、仮シンボル判定信号生成部を新たに備えることで、データサブキャリアに対応するウェイトを的確に計算することができるため、等化性能の向上が可能になる。
【００５７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５８】
【図１】本発明の実施形態にかかるＯＦＤＭ復調装置の概略を示すブロック図。
【図２】本発明の実施形態で使用されるＯＦＤＭ信号のフォーマットを説明するための図。
【図３】本発明の第１の実施形態にかかるＯＦＤＭ復調装置の等化合成部のブロック図。
【図４】本発明の第２の実施形態にかかるＯＦＤＭ復調装置の等化合成部のブロック図。
【図５】本発明の第３の実施形態にかかるＯＦＤＭ復調装置の等化合成部のブロック図。
【図６】図５の最小誤差選択部のブロック図。
【図７】本発明の第４の実施形態にかかるＯＦＤＭ復調装置の等化合成部のブロック図。
【図８】本発明の第５の実施形態にかかるＯＦＤＭ復調装置の等化合成部のブロック図。
【図９】図８の選択部３−２のブロック図。
【図１０】本発明の第６の実施形態にかかるＯＦＤＭ復調装置の等化合成部のブロック図。
【図１１】本発明の第７の実施形態にかかるＯＦＤＭ復調装置の等化合成部のブロック図。
【符号の説明】
【００５９】
１０１，１０２，１０３…アンテナ、１０４，１０５，１０６…ＦＦＴ、１０７…等化合成部、１０８…判定部、３０１，３０２，３０３…選択部、３０４，３０５，３０６，３０７…ウェイト乗算部、３０８…合成部、３０９…ウェイト算出部、４０１…ウェイト乗算部、４０２…ウェイト算出部、５０１…最小誤差選択部、５０２…Ｌ番目Ｐｉｌｏｔ既知信号生成部、６０１…誤差算出部、６０２…最小誤差検出部、６０３…セレクタ、７０１…Ｌ番目Ｐｉｌｏｔ既知信号生成部、７０２…ウェイト算出部、８０１，８０２，８０３…選択部、９０１…最小誤差検出部、１００１，１００２…最大レベル選択部、１１０１，１１０２，１１０３…最小誤差選択部、１１０４…Ｌ−１番目データ仮判定信号生成部、１１０５…Ｌ番目データ仮判定信号生成部、１１０６…Ｌ＋１番目データ仮判定信号生成部、１１０７…ウェイト算出部。
【図１】
2006180365.tif 000003
【図２】
2006180365.tif 000004
【図３】
2006180365.tif 000005
【図４】
2006180365.tif 000006
【図５】
2006180365.tif 000007
【図６】
2006180365.tif 000008
【図７】
2006180365.tif 000009
【図８】
2006180365.tif 000010
【図９】
2006180365.tif 000011
【図１０】
2006180365.tif 000012
【図１１】
2006180365.tif 000013